(57)【要約】【課題】  配管の経路状態を判断するにあたり煩雑な作業を要せず、容易にプロセスシステムの配管の経路状態を判断できる配管経路判断装置の提供。【解決手段】  配管経路判断装置は、所定のプロセスシステムにおける配管の経路上に配置されるプロセスシステム構成機器の作動状態を示す作動状態情報を取得するプロセスシステム構成機器作動状態取得手段、前記作動状態情報に基づき、一の前記プロセスシステム構成機器が第１の状態から第２の状態に変化する際の時刻と、他の一の前記プロセスシステム構成機器が前記第１の状態から前記第２の状態に変化する際の時刻とが同じである場合、前記他の一のプロセスシステム構成機器は、前記一のプロセスシステム構成機器に対して、並列の経路に存在するか、又は、下流側の経路に存在すると判断する経路判断手段、を有する。これにより、作動状態情報を取得するだけで、容易に配管の経路状態を判断することができる。【選択図】  図１
2016056922.tif 000002
【特許請求の範囲】
【請求項１】
所定のプロセスシステムにおける配管の経路上に配置されるプロセスシステム構成機器の作動状態を示す作動状態情報を取得するプロセスシステム構成機器作動状態取得手段、
前記作動状態情報に基づき、一の前記プロセスシステム構成機器が第１の状態から第２の状態への状態変化と、他の一の前記プロセスシステム構成機器が前記第１の状態から前記第２の状態への状態変化とが、同時期に生じていると判断すると、前記他の一のプロセスシステム構成機器は、前記一のプロセスシステム構成機器に対して、並列の経路に存在するか、又は、下流側の経路に存在すると判断する経路判断手段、
を有する配管経路判断装置。
【請求項２】
請求項１に係る配管経路判断装置において、
前記経路判断手段は、
前記プロセスシステム構成機器間における前記状態変化が同時期に生じているか否かの判断を、前記状態変化が生じる時刻に基づき判断すること、
を特徴とする配管経路判断装置。
【請求項３】
請求項２に係る配管経路判断装置において、
前記経路判断手段は、
前記状態変化が生じる時刻として、前記状態変化が生じ始める時刻を用いること、
を特徴とする配管経路判断装置。
【請求項４】
請求項２に係る配管経路判断装置において、
前記経路判断手段は、
前記状態変化が生じる時刻として、前記第１の状態から前記第２の状態に変化するまでの時間を用いて算出すること、
を特徴とする配管経路判断装置。
【請求項５】
請求項１〜請求項４のいずれかに係る配管経路判断装置において、
前記経路判断手段は、
前記プロセスシステム構成機器間における前記状態変化が同時期に生じているか否かを、前記プロセスシステム構成機器の配置位置、及び／又は、前記配管を流れる物質の速度を用いて、判断すること、
を特徴とする配管経路判断装置。
【請求項６】
請求項１〜請求項５のいずれかに係る配管経路判断装置において、
前記作動状態情報は、
少なくとも前記プロセスシステム構成機器の温度に関する情報を含んでいること、
を特徴とする配管経路判断装置。
【請求項７】
請求項１〜請求項５のいずれかに係る配管経路判断装置において、
前記作動状態情報は、
少なくとも前記プロセスシステム構成機器の圧力に関する情報を含んでいること、
を特徴とする配管経路判断装置。
【請求項８】
請求項１〜請求項７のいずれかに係る配管経路判断装置において、
前記プロセスシステムは、
蒸気システムであること、
を特徴とする配管経路判断装置。
【請求項９】
コンピュータを、配管経路判断装置として機能させる配管経路判断プログラムであって、
前記コンピュータを、
所定のプロセスシステムにおける配管の経路上に配置されるプロセスシステム構成機器の作動状態を取得するプロセスシステム構成機器作動状態取得手段、
前記作動状態情報に基づき、一の前記プロセスシステム構成機器が第１の状態から第２の状態に変化する際の時刻と、他の一の前記プロセスシステム構成機器が前記第１の状態から前記第２の状態に変化する際の時刻とが同じである場合、前記他の一のプロセスシステム構成機器は、前記一のプロセスシステム構成機器に対して、並列の経路に存在するか、又は、下流側の経路に存在すると判断する経路判断手段、
として機能させる配管経路判断プログラム。
【発明の詳細な説明】
【技術分野】
【０００１】
本発明は、化学や電力等の分野における各種プラントのプロセスを制御するプロセスシステムにおいて形成される配管の経路状態を判断する配管経路判断装置に関し、特に、配管の経路状態を判断するにあたり煩雑な作業を要しないものに関する。
【背景技術】
【０００２】
従来の配管経路判断装置の一例である配管特定システムについて、図１１を用いて説明する。配管特定システムは、プラントや工場において近接して敷設された複数の配管から任意の配管を特定する配管特定システムであって、第１の位置(例えば、第１の地点Ａ）において複数の配管の内の所定の配管に超音波信号を印加し、印加された超音波信号を当該配管を経由して第２の位置（例えば、第２の地点Ｂ）に送信する送信装置１００と、第２の位置（例えば、第２の地点Ｂ）において複数の配管がそれぞれ受信する超音波信号のレベルを検出する受信装置２００とを備え、受信装置１００が検出する信号のレベルに基づいて、第１の位置(例えば、第１の地点Ａ）において超音波信号が印加された配管を特定する。
【０００３】
また、送信側超音波探触子１を介して送信装置１００が送信する超音波信号は、板波であることを特徴とする。
【０００４】
また、受信装置２００は、受信する超音波信号の判別に有効な周波数帯でフィルターリングを行うフィルター処理手段（ＨＰ／ＬＰフィルター）を有している。
【０００５】
また、受信装置２００が受信する超音波信号またはそのレベルを表示する表示手段を有している。
【０００６】
また、本実施の形態による配管特定方法は、プラントや工場において近接して敷設された複数の配管から所望の配管を特定する配管特定方法であって、  第１の位置(例えば、第１の地点Ａ）において、複数配管の内の所定の配管に超音波信号を印加し、印加された超音波信号を当該配管を経由して第２の位置（例えば、第２の地点Ｂ）に送信する送信ステップと、第２の位置（例えば、第２の地点Ｂ）において、複数の配管がそれぞれ受信する超音波信号のレベルを検出する受信ステップとを備え、受信ステップにおいて検出される信号のレベルに基づいて第１の位置(例えば、第１の地点Ａ）において超音波信号が印加された配管を特定する。
【０００７】
このように、本実施の形態による配管特定システムまたは配管特定方法によれば、従来のように打撃による振動・音の伝播を利用するのではなく、近接（密接している状態も含む）する隣の配管には伝播し難いという超音波の伝播特性を利用して配管の特定を行うので、複数の配管群から任意の配管を特定する配管特定作業の効率化と特定精度の向上が図れると共に、配管特定作業者の経験や感に頼ることなく、誰もが同じ精度で容易に配管を特定することができる（以上、特許文献１参照）。
【先行技術文献】
【特許文献】
【０００８】
【特許文献１】特許第４８４８０１３号公報
【発明の概要】
【発明が解決しようとする課題】
【０００９】
前述の配管特定システムには、以下に示すような改善すべき点がある。前述の配管特定システムでは、配管を特定するにあたり、超音波信号の印加、検出といった煩雑な作業を実施しなければならない、という改善すべき点がある。特に、配管の経路が複雑に入り組んだ蒸気システムにおいては、各経路について、超音波信号の印加、検出作業を実施することは、相当の煩雑な作業となる。
【００１０】
そこで、本発明は、配管の経路状態を判断するにあたり煩雑な作業を要せず、容易にプロセスシステムの配管の経路状態を判断できる配管経路判断装置を提供することを目的とする。
【発明の効果】
【００１１】
本発明における課題を解決するための手段及び発明の効果を以下に示す。
【００１２】
本発明に係る配管経路判断装置は、所定のプロセスシステムにおける配管の経路上に配置されるプロセスシステム構成機器の作動状態を示す作動状態情報を取得するプロセスシステム構成機器作動状態取得手段、前記作動状態情報に基づき、一の前記プロセスシステム構成機器が第１の状態から第２の状態に変化する際の時刻と、他の一の前記プロセスシステム構成機器が前記第１の状態から前記第２の状態に変化する際の時刻とが同じである場合、前記他の一のプロセスシステム構成機器は、前記一のプロセスシステム構成機器に対して、並列の経路に存在するか、又は、下流側の経路に存在すると判断する経路判断手段、を有する。
【００１３】
これにより、作動状態情報を取得するだけで、容易に配管の経路状態を判断することができる。
【００１４】
本発明に係る配管経路判断装置では、前記経路判断手段は、前記プロセスシステム構成機器間における前記状態変化が同時期に生じているか否かの判断を、前記状態変化が生じる時刻に基づき判断すること、を特徴とする。
【００１５】
これにより、時間に基づきプロセスシステム構成機器の状態を監視した作動状態情報を用いるだけで、経路状態を判断できる。
【００１６】
本発明に係る配管経路判断装置では、前記経路判断手段は、前記状態変化が生じる時刻として、前記状態変化が生じ始める時刻を用いること、を特徴とする。
【００１７】
これにより、作動状態の状態変化の開始時刻は容易に判断できるので、経路状態を容易に判断できる。
【００１８】
本発明に係る配管経路判断装置では、前記経路判断手段は、前記状態変化が生じる時刻として、前記第１の状態から前記第２の状態に変化するまでの時間を用いて算出すること、を特徴とする。
【００１９】
これにより、プロセスシステム構成機器間での状態変化に要する時間を考慮できるため、より詳細に経路状態を判断できる。
【００２０】
本発明に係る配管経路判断装置では、前記経路判断手段は、前記プロセスシステム構成機器間における前記状態変化が同時期に生じているか否かを、前記プロセスシステム構成機器の配置位置、及び／又は、前記配管を流れる物質の速度を用いて、判断すること、を特徴とする。
【００２１】
これにより、プロセスシステム構成機器の配置位置、作動温度等、プロセスシステム構成機器の個別条件を考慮できるため、より詳細に経路状態を判断できる。
【００２２】
本発明に係る配管経路判断装置では、前記作動状態情報は、前記プロセスシステム構成機器の温度に関する情報であること、を特徴とする。
【００２３】
これにより、プロセスシステム構成機器の温度に関する情報を取得するだけで、容易に配管の経路を知ることができる。
【００２４】
本発明に係る配管経路判断装置では、前記作動状態情報は、少なくとも前記プロセスシステム構成機器の圧力に関する情報を含んでいること、を特徴とする。
【００２５】
これにより、プロセスシステム構成機器の圧力に関する情報を取得するだけで、容易に配管の経路を知ることができる。
【００２６】
本発明に係る配管経路判断装置では、前記プロセスシステムは、蒸気システムであること、を特徴とする。
【００２７】
これにより、そのときの要求により配管の経路状態を適宜変更することが多い蒸気システムであっても、容易に配管の経路を知ることができる。
【００２８】
本発明に係る配管経路判断プログラムは、コンピュータを、配管経路判断装置として機能させる配管経路判断プログラムであって、前記コンピュータを、所定のプロセスシステムにおける配管の経路上に配置されるプロセスシステム構成機器の作動状態を取得するプロセスシステム構成機器作動状態取得手段、前記作動状態情報に基づき、一の前記プロセスシステム構成機器が第１の状態から第２の状態に変化する際の時刻と、他の一の前記プロセスシステム構成機器が前記第１の状態から前記第２の状態に変化する際の時刻とが同じである場合、前記他の一のプロセスシステム構成機器は、前記一のプロセスシステム構成機器に対して、並列の経路に存在するか、又は、下流側の経路に存在すると判断する経路判断手段、として機能させる。
【００２９】
これにより、作動状態情報を取得するだけで、容易に配管の経路状態を判断することができる。
【００３０】
ここで、特許請求の範囲における構成要素と、実施例における構成要素との対応関係を示す。特許請求の範囲における「配管経路判断装置」は、実施例における「配管経路判断装置１００」に対応する。特許請求の範囲における「プロセスシステム構成機器」は、実施例における「スチームトラップＴ」に対応する。
【００３１】
また、特許請求の範囲における「作動状態情報取得手段」は、実施例における「ＣＰＵ１００ａ」、「メモリ１００ｂ」、「ＨＤＤ１００ｃ」、「通信回路１００ｈ」に対応する。さらに、特許請求の範囲における「経路判断手段」は、実施例における「ＣＰＵ１００ａ」、「メモリ１００ｂ」に対応する。
【図面の簡単な説明】
【００３２】
【図１】本発明に係る配管経路判断装置の一実施例である配管経路判断装置１００の構成を示す図である。
【図２】配管経路判断装置１００のハードウェア構成を示す図である。
【図３】作動状態情報のデータ構造を示す図である。
【図４】トラップ作動状態提供装置Ｍの外観構成を示す図である。
【図５】トラップ作動状態提供装置ＭをスチームトラップＴに取り付けた状態示す図である。
【図６】作動状態情報ＤＢのデータ構造を示す図である。
【図７】作動状態情報の一例を示す図である。
【図８】配管の経路状態を示す図である。
【図９】配管の経路状態を示す図である。
【図１０】配管経路判断装置１００の動作を示すフローチャートである。
【図１１】従来の配管経路判断装置を示す図である。
【発明を実施するための形態】
【００３３】
以下、本発明の実施例について、図面を参照しながら詳細に説明していく。本発明に係る配管経路判断装置の一実施例として、蒸気システムに形成される配管の経路状態を判断する配管経路判断装置について説明する。
【実施例１】
【００３４】
第１  配管経路判断装置１００のハードウェア構成
図１に示すように、配管経路判断装置１００は、工場やプラント等に形成される蒸気システムに分散配備される多数のスチームトラップＴの作動状態を用いて、蒸気システムに形成されている配管の経路状態を判断するものである。配管経路判断装置１００は、蒸気システムに形成される配管に設置される各スチームトラップＴに対して設置されるトラップ作動状態提供装置Ｍから、スチームトラップＴの作動状態を作動状態情報として取得する。配管経路判断装置１００は、取得した各スチームトラップＴの作動状態情報を用いて、配管の経路状態を判断する。
【００３５】
第２  配管経路判断装置１００のハードウェア構成
配管経路判断装置１００のハードウェア構成について図２を用いて説明する。  配管経路判断装置１００は、ＣＰＵ１００ａ、メモリ１００ｂ、ハードディスクドライブ１００ｃ（以下、ＨＤＤ１００ｃとする）、キーボード１００ｄ、マウス１００ｅ、ディスプレイ１００ｆ、光学式ドライブ１００ｇ、及び、通信回路１００ｈを有している。
【００３６】
ＣＰＵ１００ａは、ＨＤＤ１００ｃに記録されているオペレーティング・システム（ＯＳ）、配管経路判断プログラム等その他のアプリケーションに基づいた処理を行う。メモリ１００ｂは、ＣＰＵ１００ａに対して作業領域を提供する。ＨＤＤ１００ｃは、オペレーティング・システム（ＯＳ）、配管経路判断プログラム等その他のアプリケーションのプログラム、及び、配管経路の判断に必要な各種データを記録保持する。なお、各種データについては後述する。
【００３７】
キーボード１００ｄ、マウス１００ｅは、外部からの命令を受け付ける。ディスプレイ１００ｆは、ユーザーインターフェイス等の画像を表示する。光学式ドライブ１００ｇは、配管経路判断プログラムが記録されている光学式メディア１００ｐ（図示せず）から配管経路判断プログラムを読み取り、また、他の光学式メディアからその他のアプリケーションのプログラムを読み取る等、光学式メディアからのデータの読み取りを行う。通信回路１００ｈは、通信によって、トラップ作動状態提供装置Ｍ等の外部の通信機器とのデータの送受信を行う。
【００３８】
第３  データ
配管経路判断装置１００で用いる主なデータについて、更に図３〜図１０を用いて説明する。
【００３９】
１．作動状態情報
作動状態情報は、所定時刻におけるスチームトラップＴの作動状態、例えば温度、を示す情報である。作動状態情報は、トラップ作動状態提供装置１１０が、各種センサを介して取得する。
【００４０】
作動状態情報のデータ構造を図３に示す。作動状態情報は、作動状態種別記述領域、作動状態値記述領域、及び、作動状態値取得時刻記述領域を有している。作動状態種別記述領域には、作動状態の種別が記述される。作動状態値記述領域には、作動状態を取得する際に使用するセンサのセンサ値が記述される。作動状態値取得時刻記述領域には、作動状態値を取得した時の時刻が記述される。
【００４１】
ここで、配管経路判断装置１００にスチームトラップＴの作動状態情報を提供するトラップ作動状態提供装置Ｍについて説明する。トラップ作動状態提供装置Ｍは、配管経路判断装置１００と通信を行い、各スチームトラップＴに関する作動状態情報を提供する。
【００４２】
トラップ作動状態提供装置Ｍの外観構成について、図４を用いて説明する。トラップ作動状態提供装置１１０は、センサ部Ｐ１０１、電装部品配置部Ｐ１０３、及び、中間軸部Ｐ１０５を有している。センサ部Ｐ１０１は、スチームトラップＴの作動状態を、各種センサを用いて、電気信号として検出する。センサ部Ｐ１０１は、内部に、スチームトラップＴの作動状態、例えば、振動を検出する振動センサ、温度を検出する温度センサ等、各種のセンサを有している。
【００４３】
電装部品配置部Ｐ１０３は、センサ部Ｐ１０１で検出した作動状態に関する電気信号を増幅し、作動状態情報として、他の通信機器に提供するための制御回路や無線通信回路といった各種回路を有している。
【００４４】
中間軸部Ｐ１０５は、円筒状のフレキシブルパイプ１１６、及び、フレキシブルパイプ１１６の内部に配置されるケーブル（図示せず）を有している。なお、フレキシブルパイプ１１６の内部に配置されるケーブルは、電装部品配置部Ｐ１０３が有する電装部品とセンサ部Ｐ１０１が有するセンサとを電気的に接続する。また、中間軸部Ｐ１０５のフレキシブルパイプ１１６は、センサ部Ｐ１０１、電装部品配置部Ｐ１０３、それぞれと、下部袋ナットＮ１０１、上部袋ナットＮ１０３を用いて、接続される。
【００４５】
図５に示すように、トラップ作動状態提供装置Ｍは、所定の固定装置ＨＦを用いて、スチームトラップＴに固定される。トラップ作動状態提供装置ＭをスチームトラップＴに固定する際には、センサ部Ｐ１０１の先端Ｆが、スチームトラップＴの例えば入口部に接するように固定する。これにより、スチームトラップＴは、先端Ｆを介して、各種センサから、スチームトラップＴの作動状態を取得する。
【００４６】
２．作動状態情報ＤＢ
作動状態情報ＤＢは、ネットワークに属するスチームトラップＴの作動状態を蓄積した情報である。配管経路判断装置１００は、各トラップ作動状態提供装置１１０を介してスチームトラップＴの作動状態を取得し、作動状態情報ＤＢとして、ＨＤＤ１００ｃに記憶保持する。
【００４７】
作動状態情報ＤＢのデータ構造を図６に示す。作動状態情報ＤＢは、プロセスシステム構成機器ＩＤ記述領域、作動状態種別記述領域、作動状態値記述領域、作動状態値取得時刻記述領域、及び、受信時刻記述領域を有している。プロセスシステム構成機器ＩＤ記述領域には、作動状態情報を取得したプロセスシステム構成機器を一に特定するプロセスシステム構成機器ＩＤが記述される。作動状態種別記述領域、作動状態値記述領域、作動状態値取得時刻記述領域には、それぞれ、取得した作動状態情報（図３参照）の作動状態種別記述領域、作動状態値記述領域、作動状態値取得時刻記述領域の値が記述される。受信時刻記述領域には、作動状態情報を受信した時の時刻が記述される。
【００４８】
第４  配管経路判断装置１００の動作
１．配管経路判断の概要
配管経路判断装置１００が実行する配管経路判断処理の概要について、図７〜図９を用いて、説明する。
【００４９】
蒸気システムにおいて、所定のバルブを閉じることによって、閉じたバルブが配置されている場所より下流側の配管には蒸気が流れなくなるため、下流側に位置するスチームトラップの温度を下降させることができる。同様に、閉じていたバルブを開けることによって、開けたバルブより下流側に位置するスチームトラップの温度を上昇させることができる。つまり、バルブの開閉により、開閉したバルブより下流に位置するスチームトラップＴを含む配管経路について、温度を上昇させたり、下降させたりといった、ある作動状態から他の作動状態に変化させることができる。
【００５０】
配管経路判断装置１００を用いて蒸気システムの配管の経路状態を判断しようとする使用者は、作動状態の変化前後の作動状態情報を取得する。なお、作動状態の変化前後のスチームトラップＴの作動状態情報は、例えば、蒸気システムの点検時におけるバルブの開閉にあわせて、取得できる。
【００５１】
作動状態の変化前後のスチームトラップＴの作動状態情報を取得するにあたり、時刻ｔ１に、あるバルブＶ１を閉じ、その後、時刻ｔ２に、バルブＶ１を開けると同時にバルブＶ２を開けたとする。このバルブの開閉によって、蒸気システムに配置されているスチームトラップＴＡ〜スチームトラップＴＦについて、それぞれに取り付けられているトラップ作動状態提供装置Ｍから、図７に示す温度に関する作動状態情報を取得でき、これらを用いて、配管経路判断装置１００が蒸気システムの配管の経路状態を判断するものとする。なお、図７においては、スチームトラップＴＸ（Ｘは、Ａ〜Ｆ）の温度変化を連続的に示しているが、トラップ作動状態提供装置Ｍは所定間隔で断続的に作動状態情報を取得する。
【００５２】
このとき、配管経路判断装置１００は、スチームトラップＴＡを基準スチームトラップとして、安定した温度Ｔａ１にある第１状態から安定した温度Ｔａ２にある第２状態に、温度低下という作動状態の状態変化が生じたと判断し、さらに、時刻ｔ１において温度低下が生じ始めたと判断する。配管経路判断装置１００は、基準スチームトラップであるスチームトラップＴ１以外のスチームトラップＴＢ〜ＴＦについて、時刻ｔ１において、同様の作動状態の変化が生じているか、つまり、ある安定した温度から他の安定した温度まで、温度が低下し始めているかを判断する。この場合、配管経路判断装置１００は、スチームトラップＴＣ、ＴＥ、ＴＦの３つについて、時刻ｔ１において、同様の作動状態の変化が生じ始めていることから、スチームトラップＴＡにおける状態変化と同時期に、同様の状態変化が生じていると判断する。このことから、配管経路判断装置１００は、スチームトラップＴＡ、ＴＣ、ＴＥ、ＴＦの４つが、スチームトラップＴＡと並列の経路か、下流側の経路に存在すると判断する。
【００５３】
また、配管経路判断装置１００は、基準スチームトラップであるスチームトラップＴＡにおいて、安定した温度Ｔａ２にある第１状態から安定した温度Ｔａ３にある第２状態に、温度上昇という作動状態の変化が生じたと判断し、さらに、時刻ｔ２において温度上昇が生じ始めたと判断する。配管経路判断装置１００は、基準スチームトラップであるスチームトラップＴＡ以外のスチームトラップＴＢ〜ＴＦについて、時刻ｔ２において、同様の作動状態の変化が生じているか、つまり、ある安定した温度から他の安定した温度まで、温度が上昇し始めているかを判断する。この場合、配管経路判断装置１００は、スチームトラップＴＦについて、時刻ｔ２において、同様の作動状態の変化が生じ始めていることから、スチームトラップＴＡにおける状態変化と同時期に、同様の状態変化が生じていると判断する。このことから、配管経路判断装置１００は、スチームトラップＴＡ、ＴＦの２つが、バルブＶ１より下流側において、スチームトラップＴＡと並列の経路か、下流側の経路に存在すると判断する。
【００５４】
以上のことから、配管経路判断装置１００は、スチームトラップＴＢ、ＴＤについては、スチームトラップＴＡに対して並列の経路にも、下流側の経路にも存在しない、つまり、スチームトラップＴＡに対して独立した経路に存在すると判断する。また、配管経路判断装置１００は、スチームトラップＴＦについては、スチームトラップＴＡと並列の経路か、下流側の経路に存在すると判断する。一方、スチームトラップＴＣ、ＴＥは、スチームトラップＴＡと並列の経路か下流側の経路に存在すると判断していたが、下流側の経路に存在するのであれば、時刻ｔ２におけるスチームトラップＴＡの作動状態の変化に合わせて作動状態が変化しなかったことから、スチームトラップＴＡの下流側の経路ではなく、並列の経路に存在すると判断する。
【００５５】
これらのことから、この段階で、配管経路判断装置１００は、蒸気システムにおける配管の経路状態を、スチームトラップＴＡ〜スチームトラップＴＦを用いて、図８のように判断する。スチームトラップＴＦについて、領域Ｒ１に示すように、スチームトラップＴＡに対して、並列の経路に存在するのか、下流側の経路に存在するのかについては、配管経路判断装置１００は判断できない。また、スチームトラップＴＣ、ＴＥについては、スチームトラップＴＡと並列の経路に存在するが、領域Ｒ３に示すように、スチームトラップＴＣに対してスチームトラップＴＥが、並列の経路に存在するのか、下流側の経路に存在するのかを、配管経路判断装置１００は判断できない。さらに、スチームトラップＴＢ、ＴＤについては、両者ともスチームトラップＴＡとは独立した経路に存在するが、領域Ｒ５に示すように、スチームトラップＴＤが、スチームトラップＴＢに対して、並列の経路に存在するのか、下流側の経路に存在するのかを、配管経路判断装置１００は判断できない。
【００５６】
そこで、配管経路判断装置１００は、図７に示すように、スチームトラップＴＢを基準スチームトラップとし、安定した温度Ｔｂ１にある第１状態から安定した温度Ｔｂ２にある第２状態に、温度上昇という作動状態の変化が生じたと判断し、さらに、時刻ｔ３において温度上昇が生じ始めたと判断する。このとき、スチームトラップＴＢの作動状態の変化に合わせて作動状態が変化するスチームトラップは存在しない。このことから、配管経路判断装置１００は、スチームトラップＴＤは、スチームトラップＴＢに対して並列の経路にも、下流側の経路にも存在しない、つまり、スチームトラップＴＢとは独立の経路に存在すると判断する。
【００５７】
さらに、配管経路判断装置１００は、スチームトラップＴＣを基準スチームトラップとし、安定した温度Ｔｃ１にある第１状態から安定した温度Ｔｃ２にある第２状態に、温度低下という作動状態の変化が生じたと判断し、さらに、時刻ｔ４において温度低下が生じ始めたと判断する。このとき、スチームトラップＴＣの作動状態の変化に合わせて、スチームトラップＴＥの作動状態が、同様に、変化する。このことから、配管経路判断装置１００は、スチームトラップＴＥは、スチームトラップＴＣに対して並列の経路か、下流側の経路に存在すると判断する。これらのことから、この段階で、配管経路判断装置１００は、蒸気システムにおける配管の経路状態を、図９のように判断する。
【００５８】
配管経路判断装置１００において、さらに、各スチームトラップにおける作動状態の変化を分析することによって、この段階で経路判断ができていない経路、例えば、スチームトラップＴＡとスチームトラップＴＦに基づく経路やスチームトラップＴＣとスチームトラップＴＥに基づく経路、についても、経路判断が可能となる。さらに、他のスチームトラップについても経路判断が可能となる。
【００５９】
２．配管経路判断装置１００の具体的な動作
配管経路判断装置１００の動作について、図１０に示すフローチャートを用いて説明する。
【００６０】
図１０に示すように、配管経路判断装置１００のＣＰＵ１００ａは、配管経路判断プログラムによる配管経路判断処理が開始されたと判断すると、配管経路判断に必要な作動状態情報を作動状態情報ＤＢから取得する（Ｓ１００１）。なお、ＣＰＵ１００ａは、作動状態情報ＤＢから必要な作動状態情報を取得するにあたり、配管経路判断の対象となるスチームトラップＴ、及び、対象となる作動状態情報の時刻を使用者から取得する。
【００６１】
ＣＰＵ１００ａは、スチームトラップＴの一つを基準スチームトラップＴ０として選択し（Ｓ１００３）、作動状態の状態変化が存在するか否かを判断する（ＳＳ１００４）。ＣＰＵ１００ａは、作動状態の状態変化が存在すると判断すると、基準スチームトラップＴ０の作動状態情報から、作動状態の値が変化し始める時刻を判断し（Ｓ１００５）、状態変化開始時刻としてメモリ１００ｂに記憶保持する（Ｓ１００７）。
【００６２】
ＣＰＵ１００ａは、基準スチームトラップＴ０以外の一のスチームトラップＴを対象スチームトラップＴＸとし（Ｓ１００９）、対象スチームトラップＴＸの作動状態情報において、状態変化開始時刻に作動状態が変化しているか否かを判断する（Ｓ１０１１）。ＣＰＵ１００ａは、対象スチームトラップＴＸの作動状態情報において、状態変化開始時刻に作動状態が変化していると判断すると、対象スチームトラップＴＸは、基準スチームトラップＴ０と並列の経路か下流側の経路に存在すると判断する（Ｓ１０１３）。
【００６３】
ＣＰＵ１００ａは、全てのスチームトラップＴについて対象スチームトラップＴＸとしてステップＳ１００９〜ステップＳ１０１３の処理を実行したと判断すると（Ｓ１０１５）、新たに基準スチームトラップＴ０を設定し、ステップＳ１００５〜ステップＳ１０１５の処理を実行する（Ｓ１０１７）。
【００６４】
［他の実施例］
（１）プロセスシステム構成機器：前述の実施例１においては、プロセスシステム構成機器としてスチームトラップＴを示したが、プロセスシステム構成機器であれば、例示のものに限定されない。例えば、図１に示す減圧弁Ｇ、バルブＶであってもよい。さらに、ポンプ、セパレータ、フィルタ等の各種流体制御機器であってもよい。
【００６５】
（２）プロセスシステム：前述の実施例１においては、プロセスシステムとして蒸気システムを示したが、他のプロセスシステムであってもよい。例えば、上記以外の流体を用いるプロセスシステムであってもよい。
【００６６】
（３）作動状態情報の取得：前述の実施例１においては、配管経路判断装置１００は、作動状態提供装置Ｍから作動状態情報を取得し、作動状態情報ＤＢに記憶保持するとしたが、作動状態提供装置Ｍから作動状態情報を取得し、作動状態情報ＤＢに記憶保持するサーバ装置を、別途、配置し、サーバ装置から配管の経路状態を判断するために必要な作動状態情報を取得するようにしてもよい。
【００６７】
（４）状態変化の判断：前述の実施例１においては、配管経路判断装置１００は、あるスチームトラップにおける状態変化と同時期に、同様の状態変化が生じているか否かの判断を、状態変化が生じ始める時刻に基づき、判断しているが、状態変化の時刻を示すものであれば、例示のものに限定されない。例えば、第１状態から第２状態に変化する際に要した時間を用いて、その中間時間から状態変化の時刻を算出するようにしてもよい。
【００６８】
また、前述の実施例１において、配管経路判断装置１００は、スチームトラップにおける状態変化が同時期に起こっているか否かの判断につき、基準スチームトラップＴ０と対象スチームトラップＴＸとの間の距離であるトラップ間距離を考慮して判断するようにしてもよい。トラップ間距離を考慮するにあたり、基準スチームトラップＴ０と対象スチームトラップＴＸとの直線距離や配管距離を用いるようにすればよい。さらに、配管経路を流れる流体の速度を考慮して、スチームトラップにおける状態変化が同時期に起こっているかの否かを判断するようにしてもよい。
【００６９】
（５）状態変化の判断に用いる作動状態情報：前述の実施例１においては、配管経路判断装置１００は、状態変化の判断に用いる作動状態情報として、スチームトラップの温度を用いるとしたが、状態変化を判断できる情報であれば、例示のものに限定されない。例えば、スチームトラップの圧力であってもよい。また、各スチームトラップＴにおいて検出される超音波振動であってもよい。あるスチームトラップＴＰで超音波振動を検出したとすると、同一の経路にある他のスチームトラップＴＱにおいて、スチームトラップＴＰで検出した超音波振動の影響が検出されるため、複数のスチームトラップＴが同一経路に存在するか否かの判断を、超音波振動を用いて判断できる。なお、スチームトラップＴにおいて超音波振動を検出する場合、そのスチームトラップＴには漏れが生じていることを意味する。
【００７０】
（６）各プログラムのフローチャート：前述の実施例１においては、配管経路判断装置１００は図１０に示すフローチャートに従って各処理を実行するとしたが、各処理の機能・目的を達成できるものであれば、例示のものに限定されない。また、各データの構造についても同様である。
【産業上の利用可能性】
【００７１】
本発明に係る配管経路判断装置は、例えば、蒸気プラントにおける配管の経路状態を判断する配管経路判断装置として利用することができる。
【符号の説明】
【００７２】
１００      配管経路判断装置
１００ａ  ＣＰＵ
１００ｂ    メモリ
１００ｃ    ハードディスクドライブ
１００ｄ    キーボード
１００ｅ    マウス
１００ｆ    ディスプレイ
１００ｇ    光学式ドライブ
１００ｈ    通信回路
１００ｐ    光学式メディア
ＴＡ〜ＴＦ  スチームトラップ
Ｇ          減圧弁
Ｖ          バルブ
【図１】
2016056922.tif 000003
【図２】
2016056922.tif 000004
【図３】
2016056922.tif 000005
【図４】
2016056922.tif 000006
【図５】
2016056922.tif 000007
【図６】
2016056922.tif 000008
【図７】
2016056922.tif 000009
【図８】
2016056922.tif 000010
【図９】
2016056922.tif 000011
【図１０】
2016056922.tif 000012
【図１１】
2016056922.tif 000013